(57)【要約】【課題】水深の調整が容易であり、昇降装置も必要としない水深調整体及び水泳プールの水深調整方法を提供する。【解決手段】水密性及び可撓性を有する膜材により形成された水深調整用の袋体と、該袋体に設けられる注水口及び排水口と、前記袋体をプール、河川、湖沼、池等の底面の上に位置させて該底面から浮き上がるのを防止するための位置決め手段とを備え、使用時には前記注水口から水を注入して前記袋体を膨らませ、該袋体を前記底面上に前記位置決め手段によって位置決めし、不使用時には前記排水口から前記袋体内の水を排水するように構成したことを特徴とする。【選択図】    図６
2004190429.tif 000002
【特許請求の範囲】
【請求項１】
水密性及び可撓性を有する膜材により形成された水深調整用の袋体と、該袋体に設けられる注水口及び排水口と、前記袋体をプール、河川、湖沼、池等の底面の上に位置させて該底面から浮き上がるのを防止するための位置決め手段とを備え、
使用時には前記注水口から水を注入して前記袋体を膨らませ、該袋体を前記底面上に前記位置決め手段によって位置決めし、不使用時には前記排水口から前記袋体内の水を排水するように構成したことを特徴とする水深調整体。
【請求項２】
水密性及び可撓性を有する膜材により形成された袋体を水泳プールの底部に配設し、該袋体内に水を給排水して前記袋体を膨縮させることによりプール水深を調整する給排水手段を設けたことを特徴とする水泳プールの水深調整装置。
【発明の詳細な説明】
【０００１】
【発明の属する技術分野】
本発明は、水泳プール等の水深を調整するための水深調整体及び水泳プールの水深調整方法に関する。
【０００２】
【従来の技術】
一般の水泳プールは、水深が大人用に設定されているので、子供が使用する場合には、プールの水深を浅くしなければならない。また、健康志向の高まりにより、大人が腰よりも下だけを水につけて水中歩行をするトレーニングが盛んに行われている。
【０００３】
そこで、支持脚付きの中床をプールの底面に配置して水深を浅くする方法が採用されている。
【０００４】
しかし、この支持脚付きの中床は重量が大きいので、搬送が面倒であり、また、大きな収納場所を必要とするが、専用の収納スペースを確保するのは困難であるので、プールサイドに積み重ねて置くしかなく、プールサイドの本来の機能が損なわれるという問題があった。
【０００５】
一方、中床を昇降させて水泳プールの水深を調整する装置が提案されていた（例えば、特許文献１参照。）。
【０００６】
この装置によれば、中床の収納スペースは不要になるが、中床を昇降させるために大がかりな装置が必要になり、プール設備費が高くなるという問題があった。
【０００７】
また、河川、湖沼、池等の工事現場において、水深を浅くして作業を容易にする場合には、足場を組む等して対処しているが、作業能率が悪いという問題があった。
【０００８】
【特許文献１】
特開平５―３１１９０４号公報（全頁、全図）
【０００９】
【発明が解決しようとする課題】
本発明は、水深の調整が容易であり、昇降装置も必要としない水深調整体及び水泳プールの水深調整方法を提供する。
【００１０】
【課題を解決するための手段】
本発明の水深調整体は、水密性及び可撓性を有する膜材により形成された水深調整用の袋体と、該袋体に設けられる注水口及び排水口と、前記袋体をプール、河川、湖沼、池等の底面の上に位置させて該底面から浮き上がるのを防止するための位置決め手段とを備え、使用時には前記注水口から水を注入して前記袋体を膨らませ、該袋体を前記底面上に前記位置決め手段によって位置決めし、不使用時には前記排水口から前記袋体内の水を排水するように構成したことを特徴とする。
【００１１】
また、本発明の水泳プールの水深調整装置は、水密性及び可撓性を有する膜材により形成された袋体を水泳プールの底部に配設し、該袋体内に水を給排水して前記袋体を膨縮させることによりプール水深を調整する給排水手段を設けたことを特徴とする。
【００１２】
【発明の実施の形態】
以下、本発明の実施の形態について図面を参照して説明する。
【００１３】
図１のように、水深調整体Ａは、水が充填される袋体１を備え、該袋体１は水密性及び可撓性を有する膜材を高周波溶着等で接合して形成されている。かかる膜材としては、合成樹脂膜材やゴム膜材等を繊維で補強した伸びが小さいもの、例えば、ビニルレザー、ビニルターポリン、ゴム引布等が使用され、これにより袋体１内の水圧を上げたときに充分な剛性が得られるようになっている。
【００１４】
袋体１の両側には注水口２及び排水口３が設けられ、注水口２及び排水口３には図外のバルブが取り付けられている。そして、注水口２から袋体１内に水を注入することにより袋体１はマット状に膨らみ、膨らんだ袋体１の高さＨ（例えば４０ｃｍ程度）の分だけ水泳プールの水深が調整されるようになっている。なお、注水口２は排水口を兼ねるようにしても良い。
【００１５】
袋体１からは可撓性を有する図外の空気抜き管が導出され、該空気抜き管の先にはバルブが設けられている。
【００１６】
また、袋体１にはマット形状を確保するための図外の吊り布が設けられている。また、袋体１は前記膜材で形成された図外の仕切り体によって複数の部屋に仕切られ、該仕切り体に流水孔が設けて隣接する部屋同士を連通させている。このように構成すれば、水が隣の部屋に移動するときには前記流水孔を通らなければならないので、水の移動に際して強い抵抗が発生し、したがって、水で膨らんだ袋体１の一部が上方から押されても大きく変形することがなく、水中歩行等の障害にはならない。
【００１７】
袋体内には該袋体の空気抜きを円滑に行うためのスペーサー（図示省略）が配設され、該スペーサーが袋体の上下の膜材の間に介在することによって上下の膜材が付着するのを防止している。なお、スペーサーは、例えば通気性を有するメッシュ等で形成される。
【００１８】
また、空気が抜かれて水が充填された水深調整体Ａは、水泳プールＰ中での浮力と重力とがほぼ均衡になるので、位置決め手段によって水深調整体Ａを水泳プールＰの底まで沈めて停止させるようになっている。図２のように袋体１には連結体１２によって重り１１が着脱自在に取り付けられ、該連結体１２は連結片１３を雄雌係合部１４によってワンタッチで連結できるものである。また、袋体１をアンカー１５で位置決めしても良く、この場合にも袋体１とアンカー１５とは連結体１２によって着脱自在に連結される。また、位置決め手段として図外の面状ファスナーを採用し、袋体１の表面に雄型ファスナーを、プールの底面に雌型ファスナーをそれぞれ設けて雄雌係合によって水深調整体Ａを位置決めしても良い。
【００１９】
図３は、水深調整体Ａを設置するための作業工程を示し、水深調整体Ａを水泳プールＰの水面上で拡げる場合には、重り１１を外した状態で水深調整体Ａを拡げて袋体１を膨らませ、完全に膨らんだ状態又はある程度膨らんだ状態で、袋体１に重り１１を取り付けて水深調整体Ａを水泳プールＰの底面まで沈める。なお、水が充填された水深調整体Ａの浮力と重力とがほぼ均等であるので、重り１１は軽量なものであっても、水深調整体Ａは水泳プールＰの底まで降下する。なお、重り１１の重量は適宜変更でき、また、水面上に拡げられた水深調整体Ａが直ぐに沈まない大きさに重り１１の重量を設定すれば、重り１１を袋体１に取り外しができないように固定することができる。
【００２０】
そして、水泳プールＰに既に水が満たされている場合には、プールサイドやプール水の水面状で袋体１を拡げた後、前記バルブが開いた空気抜き管から袋体１内の空気を抜きながら、前記バルブが開いた注水口２から水を注入して水深調整体Ａを膨らませ、重り１１によって水泳プールＰの底に沈める。このとき、排水口３のバルブを閉じておく。
【００２１】
そして、水泳プールＰの底に水深調整体Ａを配設した場合には、該水泳プールＰを子供用等のプールとして使用でき、また、水深調整体Ａがクッション作用を発揮するので、水深が浅くなった水泳プールＰに飛び込んでも、怪我をせずに済み水深が浅い水泳プールＰの安全性を確保できる。
【００２２】
なお、水深調整体Ａの袋体１が不完全密封の場合には、袋体１内に常時送水をし、また、図外の水圧調整手段によって袋体１内を一定圧力に保つようにする。
【００２３】
水深調整体Ａへの水の注入は、水泳プールＰの付属設備を利用して行い、例えば図２のようにプール清掃等のために用いられる蛇口にホースＰ１を接続し、該ホースを水深調整体Ａの注水口２に接続して注入する。
【００２４】
水深調整体Ａを使用しないときには、水深調整体Ａの排水口３のバルブを開いて該排水口３から袋体１内の水を排水して縮めた状態で折り畳んで収納できるので、大きな収納スペースが不要になる。
【００２５】
図４は、水深調整体Ａを二段に重ねた状態を示す。上下の水深調整体Ａはファスナー１６によって雄雌係合に連結されている。なお、上下の水深調整体Ａの連結手段は特に限定されない。
【００２６】
また、上下の水深調整体Ａを水中で別々に膨らませた後に連結する場合には、ワンタッチで着脱できる連結具を採用するのが好ましい。例えば、図５のように一方の水深調整体Ａの袋体１から弾性片６を連設し、該弾性片６に係止鍔７付きの突起８を設け、他方の水深調整体Ａの袋体１から係止孔９付きの弾性片１０を連設し、連結する場合には、２点鎖線で示すように突起８を係止孔１０に挿入して該係止孔１０の孔縁の弾性変形によって該孔縁に係止する。水深調整体Ａを引き離す場合には、係止孔９の孔縁を弾性変形させて突起８を係止孔９から強制的に引き離す。なお、水深調整体Ａを３段以上積み重ねて連結しても良い。
【００２７】
図６及び図７は、水泳プールの水深調整装置を示し、複数の袋体１を水泳プールＰの底面に並べて上述のように水泳プールＰの底部に固定し、ポンプやホース等の給排水手段を用いて袋体１内に水を給排水して該袋体１を膨縮させることにより水深を調整する。袋体１は常時水泳プールの底に設置され、不使用時には水を抜いて袋体１を縮めた状態で水泳プールＰの底面に位置させる（図７）。
【００２８】
また、図６の２点鎖線で示すすのこ５を水深調整体Ａの上に敷設して水泳プールＰの底の硬質性を確保するようにしても良い。
【００２９】
図８は給排水手段によって袋体１内の水を供給・排水するための説明図である。給排水手段は切換弁１８，１９と、袋体１内の空気を吸引する吸引ポンプ２０と、注水ポンプ２１と排水ポンプ２２とを備えている。そして、袋体１内に水を供給するときには、吸引ポンプＰ１により袋体１内の空気を排気した後に、注水ポンプＰ２により袋体１内に注水し、使用しないときには、排水ポンプＰ３により袋体１内の水を排水する。なお、複数の袋体１は連通管１７により連結し、複数の袋体１への給排水は一つの袋体１を介して行う。
【００３０】
以上のように構成される水深調整体Ａは、水泳プール以外の海や湖沼や池等の水深を調整するのに用いることができ、海で用いる場合には、海水を給排水する。
【００３１】
【発明の効果】
本発明の水深調整体及び水泳プールの水深調整装置によれば、水密性及び可撓性を有する膜材により形成された水深調整用の袋体と、該袋体をプール等の底面の上に位置させて該底面から浮き上がるのを防止するための位置決め手段とを備え、該袋体に注水口及び排水口を設け、注水口から水を注入して膨らませると共にプール、河川、湖沼、池等の底面に前記位置決め手段によって位置決めすることにより、プール等の水深を調整することができる。
【００３２】
また、水泳プールの底面に袋体を配設することにより、該底面のクッション性が付与されるので、プールの安全性が図れ、また、プールの娯楽性を高めることができる。
【００３３】
また、使用しないときは、水を排水して袋体を縮めることができるので、大きな収納スペースを必要とせず、プールの底面に常時設置することも可能になる。
【図面の簡単な説明】
【図１】（ａ）は本発明の実施形態の水深調整体を示す平面図、（ｂ）は同水深調整体の正面図、（ｃ）は同水深調整体の側面図である。
【図２】同水深調整体が位置決めされた状態を示す側面図である。
【図３】同水深調整体を設置するための作業工程を示す斜視図である。
【図４】（ａ）は二段に積み重ねられた水深調整体を示す正面図、（ｂ）は二段に積み重ねられた水深調整体を示す側面図である。
【図５】二段に重ねた水深調整体の連結手段を示す拡大図である。
【図６】本発明の実施形態の水泳プールの水深調整装置を示す側面図である。
【図７】同水深調整装置の不使用状態を示す側面図である。
【図８】同水深調整装置の給排水手段を示す図である。
【符号の説明】
Ｐ    水泳プール
Ａ    水深調整体
１    袋体
２    注水口
３    排水口
【図１】
2004190429.tif 000003
【図２】
2004190429.tif 000004
【図３】
2004190429.tif 000005
【図４】
2004190429.tif 000006
【図５】
2004190429.tif 000007
【図６】
2004190429.tif 000008
【図７】
2004190429.tif 000009
【図８】
2004190429.tif 000010